(57)【要約】【課題】  使用者の好みに合った操作感触が得られ、スイッチ操作性の向上を図ることができるスイッチ装置を提供する。【解決手段】  楽器本体１の上部ケース２に対して取り付けられたロータリースイッチ１２と、このロータリースイッチ１２を回転操作に応じてスイッチ動作させる回転操作部材１１と、この回転操作部材１１が回転する際に回転操作部材１１に負荷を付与するばね部材１３と、このばね部材１３のばね力によって回転操作部材１１に付与される負荷を調整する負荷調整部材１４と、を備えている。従って、ばね部材１３のばね力によって回転操作部材１１に付与される負荷を負荷調整部材１４によって調整することができるので、簡単に且つ容易に回転操作部材１１の回転操作力を重くしたり、軽くしたりすることができる。【選択図】        図４
2013012430.tif 000002
【特許請求の範囲】
【請求項１】
装置本体に対して取り付けられた回転式のスイッチ部と、
このスイッチ部を回転操作に応じてスイッチ動作させる回転操作部材と、
この回転操作部材が回転する際に前記回転操作部材に負荷を付与する付勢部材と、
この付勢部材によって前記回転操作部材に付与される前記負荷を調整する負荷調整部材と、
を備えていることを特徴とするスイッチ装置。
【請求項２】
請求項１に記載のスイッチ装置において、前記付勢部材は、前記回転操作部材が正方向と逆方向とのいずれかの方向に回転する際に前記回転操作部材に付与される前記負荷を徐々に大きくし、前記回転操作部材がいずれの方向にも回転しない中立状態のときに前記回転操作部材に付与される前記負荷を最も小さくする構成であることを特徴するスイッチ装置。
【請求項３】
請求項１または請求項２に記載のスイッチ装置において、前記負荷調整部材は、前記回転操作部材に移動可能に設けられて前記付勢部材の付勢力を変化させる可動部と、この可動部を前記付勢部材の付勢力が変化する方向に移動させる調整操作部とを備えていることを特徴するスイッチ装置。
【請求項４】
請求項１〜請求項３のいずれかに記載のスイッチ装置において、前記付勢部材は、前記回転操作部材の回転中心に配置された捻じりばねであり、この捻じりばねの両端部が前記装置本体に対して固定された固定部の両側に配置されており、
前記負荷調整部材の前記可動部は、前記付勢部材である前記捻じりばねにおける前記両端部の間に位置し、この状態で前記回転操作部材の回転中心に対する接離方向に移動可能に配置されていることを特徴とするスイッチ装置。
【請求項５】
請求項４に記載のスイッチ装置において、前記負荷調整部材の前記可動部は、前記回転操作部材に設けられたガイド部によって非回転状態でガイドされていると共に前記調整操作部に対応する箇所にねじ孔を有しており、前記調整操作部は、その一端部に設けられたねじ部が前記可動部の前記ねじ孔に螺合し、他端部が前記回転操作部材の外周面側から突出した状態で前記回転操作部材に回転可能に取り付けられていることを特徴とするスイッチ装置。
【発明の詳細な説明】
【技術分野】
【０００１】
この発明は、ピッチベンド操作が可能な回転式のスイッチ装置に関する。
【背景技術】
【０００２】
例えば、回転式のスイッチ装置においては、特許文献１に記載されているように、装置本体に回転軸を設け、この回転軸に回転操作部材を取り付け、この回転操作部材にピッチベンド用のスイッチ部を設け、このスイッチ部を押しながら回転操作部材を回転させてピッチベンド操作を行い、スイッチ部を押さずに回転操作部材を回転させてスクラッチ操作を行うように構成したものが知られている。
【先行技術文献】
【特許文献】
【０００３】
【特許文献１】特開２０１０−２３４０１２号公報
【０００４】
このような回転式のスイッチ装置では、回転操作部材が回転円板と基板支持板とを備えている。この場合、回転円板には貫通孔が設けられており、この貫通孔内にはキートップが設けられている。また、基板支持板にはスイッチ基板が設けられており、このスイッチ基板にはスイッチ部がキートップに対応して設けられている。
【０００５】
これにより、この種のスイッチ装置は、ピッチベンド操作を行うときに、キートップを押して回転操作部材のスイッチ部をオンさせた状態で回転操作部材を回転させ、またスクラッチ操作を行うときに、キートップを押さずに回転操作部材のスイッチ部をオフにした状態で回転操作部材を回転させるように構成されている。
【発明の概要】
【発明が解決しようとする課題】
【０００６】
しかしながら、このような回転式のスイッチ装置では、回転操作部材が回転軸に回転可能に取り付けられている構成であるから、回転操作部材が回転する際に回転操作部材にほとんど負荷が付与されず、回転操作部材が常に一定の状態で回転するだけであり、使用者の好みに応じて回転操作部材の回転を重くしたり、軽くしたりすることができない。このため、使用者の好みに合った操作感触が得られないため、使用者が所望するような感触の回転操作ができず、十分なスイッチ操作性が得られないという不都合がある。
【０００７】
この発明が解決しようとする課題は、使用者の好みに合った操作感触が得られ、スイッチ操作性の向上を図ることができるスイッチ装置を提供することである。
【課題を解決するための手段】
【０００８】
この発明は、装置本体に対して取り付けられた回転式のスイッチ部と、このスイッチ部を回転操作に応じてスイッチ動作させる回転操作部材と、この回転操作部材が回転する際に前記回転操作部材に負荷を付与する付勢部材と、この付勢部材によって前記回転操作部材に付与される前記負荷を調整する負荷調整部材と、を備えていることを特徴とするスイッチ装置である。
【発明の効果】
【０００９】
この発明によれば、付勢部材によって回転操作部材に付与される負荷を負荷調整部材によって調整することができるので、簡単に且つ容易に回転操作部材の回転操作力を重くしたり、軽くしたりすることができる。これにより、使用者の好みに合った操作感触を得ることができ、使用者が所望するような感触の回転操作を行うができるので、スイッチ操作性の向上を図ることができる。
【図面の簡単な説明】
【００１０】
【図１】この発明を電子鍵盤楽器に適用した一実施形態を示した平面図である。
【図２】図１に示された電子鍵盤楽器のＡ−Ａ矢視における要部を示した拡大断面図である。
【図３】図２に示された回転式のスイッチ装置を示した要部の拡大正面図である。
【図４】図３に示されたスイッチ装置のＢ−Ｂ矢視における要部の拡大断面図である。
【図５】図４に示されたスイッチ装置のＣ―Ｃ矢視における要部の拡大正面図である。
【図６】図４に示されたスイッチ装置のロータリースイッチを示した要部の拡大側面図である。
【図７】図３および図４に示されたスイッチ装置の取付部材を示し、（ａ）はその要部の拡大正面図、（ｂ）はその要部の拡大側面図である。
【図８】図５に示された回転操作部材および負荷調整部材を示した要部の拡大正面図である。
【図９】図８に示された回転操作部材および負荷調整部材のＤ―Ｄ矢視における要部の拡大断面図である。
【図１０】図８に示された回転操作部材および負荷調整部材を示した要部の拡大裏面図である。
【図１１】図４および図５に示されたスイッチ装置のばね部材を示し、（ａ）はその要部の拡大正面図、（ｂ）はその要部の拡大側面図である。
【図１２】図８〜図１０に示された負荷調整部材の可動部を示した要部の拡大平面図である。
【図１３】図５に示された負荷調整部材の調整操作部を操作して可動部を回転操作部材の円筒部に近づけた際におけるニュートラル状態を示した拡大正面図である。
【図１４】図１３に示された回転操作部材を正方向である時計回りに回転させた状態を示した拡大正面である。
【図１５】図１３に示された回転操作部材を逆方向である反時計回りに回転させた状態を示した拡大正面である。
【図１６】図５に示された負荷調整部材の調整操作部を操作して可動部を回転操作部材の円筒部から離した際におけるニュートラル状態を示した拡大正面図である。
【図１７】図１６に示された回転操作部材を正方向である時計回りに回転させた状態を示した拡大正面である。
【図１８】図１６に示された回転操作部材を逆方向である反時計回りに回転させた状態を示した拡大正面である。
【発明を実施するための形態】
【００１１】
以下、図１〜図１８を参照して、この発明を電子鍵盤楽器に適用した一実施形態について説明する。
この電子鍵盤楽器は、図１および図２に示すように、楽器本体１を備えている。この楽器本体１は、上部ケース２と下部ケース３とを備え、これらの内部に鍵盤部４が設けられた構成になっている。
【００１２】
鍵盤部４は、図１に示すように、白鍵と黒鍵とからなる複数の鍵５を備えている。この複数の鍵５は、楽器本体１内に並列に配列された状態で、上下方向に回転するように構成されている。この場合、上部ケース２は、鍵盤部４の後方（図１では上辺側）に位置する箇所、および鍵５の配列方向（図１では左右方向）における鍵盤部４の両側部に位置する箇所において、下部ケース３上に設けられている。これにより、鍵盤部４は、上部ケース２で覆われることなく上側に露出するように構成されている。
【００１３】
また、上部ケース２には、図１に示すように、スピーカ部６、表示部７、およびスイッチ部８が設けられている。スピーカ部６は、複数のスピーカ６ａ〜６ｃを備え、これらが上部ケース２の後部側における鍵５の配列方向の両側にそれぞれ設けられている。表示部７は、液晶表示パネルやＥＬ（エレクトロ・ルミネッセンス）表示パネルなどの平面型の表示パネルからなり、上部ケース２のほぼ中央部に配置され、鍵盤楽器に必要な各種の情報を電気光学的に表示するように構成されている。
【００１４】
スイッチ部８は、図１に示すように、電源スイッチ、音量スイッチ、音色スイッチ、ファンクションスイッチなどの鍵盤楽器に必要な各種のスイッチを備えているほか、回転式のスイッチ装置１０をも備えている。このスイッチ部８は、図１に示すように、上部ケース２の上面に各種のスイッチが分散して設けられている。
【００１５】
この場合、回転式のスイッチ装置１０は、図１に示すように、上部ケース２の上面における鍵５の配列方向の片側（図１では左側）に位置する箇所に設けられている。この回転式のスイッチ装置１０は、鍵盤部４の各鍵５を押鍵操作して演奏している最中にスイッチ操作することにより、演奏中の楽音に効果を付与するためのものであり、図２〜図５に示すように、回転操作部材１１、ロータリースイッチ１２、ばね部材１３、および負荷調整部材１４を備えている。
【００１６】
ロータリースイッチ１２は、図６に示すように、スイッチ本体１５と、このスイッチ本体１５に回転可能に取り付けられたスイッチ軸１６とを備え、スイッチ本体１５がスイッチ軸１６の回転動作の変化を電気的に検出し、その検出信号を出力するように構成されている。このロータリースイッチ１２は、図２〜図５に示すように、スイッチ本体１５が取付部材１７に取り付けられ、この取付部材１７によって楽器本体１の上部ケース２内に取り付けられている。
【００１７】
また、このロータリースイッチ１２は、図４に示すように、そのスイッチ軸１６に回転操作部材１１が取り付けられるように構成されている。これにより、回転操作部材１１は、図２に示すように、ロータリースイッチ１２と共に取付部材１７によって上部ケース２に対して取り付けられ、この状態でロータリースイッチ１２のスイッチ軸１６を中心にスイッチ軸１６と共に回転するように構成されている。
【００１８】
取付部材１７は、図２〜図５に示すように、ロータリースイッチ１２を楽器本体１の上部ケース２内に取り付けるためのものであり、図３および図７に示すように、ロータリースイッチ１２のスイッチ本体１５が取り付けられるスイッチ取付部１７ａと、このスイッチ取付部１７ａから下側に延出された延出部１７ｂとを備え、これらが金属板によって一体に形成されている。
【００１９】
この場合、スイッチ取付部１７ａの中間部には、図７（ａ）に示すように、ロータリースイッチ１２のスイッチ軸１６が挿入する軸挿入孔１７ｃが設けられている。また、延出部１７ｂの下端部には、図４および図７（ｂ）に示すように、回転操作部材１１側（図７（ｂ）では左側）に向けて突出した固定部１７ｄが設けられている。
【００２０】
回転操作部材１１は、図２〜図５に示すように、上部ケース２に設けられた長方形状の開口部２ａからその上方に一部が露出するほぼ半円形状の操作本体部１８と、この操作本体部１８の回転中心に設けられてロータリースイッチ１２のスイッチ軸１６が取り付けられる円筒部１９と、操作本体部１８の円弧状の外周部に設けられた操作面部２０と、操作本体部１８に設けられて負荷調整部材１４を取り付けるための操作取付部２１とを備え、これらが合成樹脂によって一体に形成されている。
【００２１】
この場合、操作本体部１８は、図２〜図５に示すように、その上部側に位置するほぼ半分程度が上部ケース２の開口部２ａから上方に突出し、この状態でロータリースイッチ１２のスイッチ軸１６が取り付けられる円筒部１９を中心に上下方向に回転するように構成されている。
【００２２】
円筒部１９は、図８および図９に示すように、操作本体部１５の回転中心に設けられた大径筒部１９ａと、この大径筒部１９ａの端部（図９では右端部）に同一軸上に設けられた小径筒部１９ｂとを備え、この小径筒部１９ｂにロータリースイッチ１２のスイッチ軸１６が挿入して取り付けられるように構成されている。
【００２３】
この場合、円筒部１９の小径筒部１９ｂの内部には、図８〜図１０に示すように、キー部１９ｃが軸方向に沿って設けられており、ロータリースイッチ１２におけるスイッチ軸１６の外周面には、図６に示すように、小径筒部１９ｂ内のキー部１９ｃに対応する切欠き部１６ａが軸方向に沿って設けられている。
【００２４】
これにより、ロータリースイッチ１２のスイッチ軸１６は、図４に示すように、その切欠き部１６ａが円筒部１９の小径筒部１９ｂ内のキー部１９ｃに対応した状態で、小径筒部１９ｂ内に挿入されて嵌着することにより、回転操作部材１１と共に回転するように構成されている。
【００２５】
また、回転操作部材１１の円筒部１９における小径筒部１９ｂの外周面には、図５および図８に示すように、後述するばね部材１３に対する摩擦抵抗を軽減するための多数の凸部１９ｄが設けられている。この回転操作部材１１の操作面部２０は、図８および図９に示すように、外周壁部であり、操作本体部１８の外周部から軸方向における円筒部１９と同じ方向（図９では右方向）に向けて突出した状態で設けられている。
【００２６】
すなわち、この操作面部２０は、図９に示すように、回転操作部材１１の軸方向における突出長さが、円筒部１９の大径筒部１９ａとほぼ同じ長さで形成されている。また、この操作面部２０の外周面には、図８および図１０に示すように、回転操作部材１１を指先で回転操作する際に、その指先が滑るのを防ぐための滑り止め用の凹凸部２０ａが設けられている。
【００２７】
一方、ばね部材１３は、図１１（ａ）および図１１（ｂ）に示すように、コイル状の捻じりばねであり、図４および図５に示すように、回転操作部材１１の円筒部１９における小径筒部１９ｂの外周面に、その径方向に変位可能（伸縮可能）な状態で巻き付けられ、その両端部１３ａ、１３ｂが取付部材１７の延出部１７ｂに設けられた固定部１７ｄの両側に配置されるように構成されている。
【００２８】
この場合、取付部材１７の固定部１７ｄは、図４に示すように、取付部材１７の延出部１７ｂの下端部から回転操作部材１１の調整取付部２１の下端部側に向けてほぼ水平に延び、この延びた先端部（図４では左端部）が調整取付部２１の下側に接近するように構成されている。
【００２９】
これにより、取付部材１７の固定部１７ｄは、図４および図５に示すように、回転操作部材１１の円筒部１９における小径筒部１９ｂの下側に位置し、この状態で固定部１７ｄの両側にばね部材１３の両端部１３ａ、１３ｂが配置されていることにより、ばね部材１３の両端部１３ａ、１３ｂによって挟まれるように構成されている。
【００３０】
また、このばね部材１３は、図１３〜図１８に示すように、回転操作部材１１に負荷を付与するものであり、回転操作部材１１が正方向（図１４、図１７では時計回り方向）と逆方向（図１５、図１８では反時計回り方向）とのいずれかの方向に回転する際に、回転操作部材１１に付与される負荷を回転操作部材１１の回転に応じて徐々に大きくするように構成されている。
【００３１】
また、このばね部材１３は、図５、図１３、および図１６に示すように、回転操作部材１１がいずれの方向にも回転しない中立状態（ニュートラル状態）のときに、回転操作部材１１に付与される負荷を最も小さくするように構成されている。これにより、回転操作部材１１は、中立状態（ニュートラル状態）から回転を開始する際に軽く回転し、回転が進むに伴って徐々に重くなるように構成されている。
【００３２】
この場合、回転操作部材１１は、図１３および図１６に示すように、回転操作部材１１がいずれの方向にも回転しない中立状態（ニュートラル状態）のときに、回転操作部材１１の操作面部２０の中間部が上部ケース２の開口部２ａの中間部に位置し、この状態で操作面部２０および操作本体部１８の各上側半部が上部ケース２の上側に突出するように構成されている。
【００３３】
また、この回転操作部材１１は、図１３および図１６に示すように、回転操作部材１１がいずれの方向にも回転しない中立状態（ニュートラル状態）のときに、操作面部２０が操作本体部１８と共に正方向（図１４、図１７では時計回り方向）と逆方向（図１５、図１８では反時計回り方向）とのいずれかの方向に回転するように構成されている。
【００３４】
ところで、負荷調整部材１４は、図４および図５に示すように、ばね部材１３によって回転操作部材１１に付与される負荷を調整するためのものであり、回転操作部材１１に移動可能に設けられてばね部材１３のばね力を変化させる可動部２２と、この可動部２２をばね部材１３のばね力が変化する方向に移動させるための調整操作部２３とを備えている。
【００３５】
可動部２２は、図４および図５に示すように、ばね部材１３の両端部１３ａ、１３ｂ間に位置した状態で、回転操作部材１１の操作取付部２１に移動可能に取り付けられ、この状態で回転操作部材１１の回転中心である円筒部１９に対する接離方向（図４では上下方向）に移動するように構成されている。この可動部２２は、図１２に示すように、長方形の平板に形成されている。
【００３６】
すなわち、この可動部２２は、図８、図９および図１２に示すように、回転操作部材１１の軸方向（図１２では左右方向）の長さが回転操作部材１１の円筒部１９における軸方向の長さよりも少し長く、その軸方向と直交する方向（図１２では上下方向である幅方向）の長さが円筒部１９の小径筒部１９ｂの外径とほぼ同じ長さに形成されている。
【００３７】
この可動部２２における調整操作部２３に対応する箇所、つまり可動部２２のほぼ中心部には、図１２に示すように、ねじ孔２２ａが設けられている。この可動部２２の一端部側（図１２では左端部側）には、ガイド溝２２ｂが設けられている。この場合、回転操作部材１１の操作取付部２１は、図８〜図１０に示すように、回転操作部材１１の操作本体部１８の下端部から下側に突出し、この突出した下端部が軸方向における円筒部１９と同じ方向に向けて突出して形成されている。
【００３８】
この操作取付部２１には、図１０に示すように、可動部２２の一端部が挿入してガイド溝２２ｂが縁部に係合するガイド孔部２１ａが操作取付部２１に上下方向に沿って細長く形成されている。これにより、可動部２２は、図４および図５に示すように、ばね部材１３の両端部１３ａ、１３ｂ間に位置した状態で、ガイド溝２２ｂが操作取付部２１のガイド孔部２１ａの縁部に沿って移動することにより、非回転状態で上下方向に移動するように構成されている。
【００３９】
調整操作部２３は、図８および図９に示すように、ほぼ丸棒状に形成され、その中間部が回転操作部材１１の円筒部１９における大径筒部１９ａの上下部に設けられた取付孔１９ｅに回転可能に取り付けられている。この調整操作部２３の一端部である下端部側には、図８および図９に示すように、可動部２２のねじ孔２２ａに螺合するねじ部２３ａが設けられており、このねじ部２３ａの下端部は、操作取付部２１の下端部に設けられた挿入孔２１ｂに回転可能に挿入されている。
【００４０】
また、調整操作部２３の他端部である上端部は、図８および図９に示すように、回転操作部材１１の操作面部２０に設けられた挿入孔２０ｂに回転可能に挿入されて上方に突出している。この調整操作部２３の上端部における回転操作部材１１の操作面部２０から突出した部分には、図８〜図１０に示すように、操作ツマミ２３ｂが設けられている。
【００４１】
また、回転操作部材１１の操作面部２０の下面に位置する箇所の調整操作部２３には、図８および図９に示すように、抜止めリング２３ｃが取り付けられている。このため、調整操作部２３は、操作ツマミ２３ｂが回転操作されると、上下方向に移動することなく、その場所で回転するように構成されている。
【００４２】
これにより、負荷調整部材１４は、図８および図９に示すように、調整操作部２３の操作ツマミ２３ｂを回して調整操作部２３が回転すると、これに伴って下端部側のねじ部２３ａが可動部２２のねじ孔２２ａに螺合した状態で回転し、このねじ部２３ａの回転に伴って可動部２２が回転することなく上下方向に移動するように構成されている。
【００４３】
また、この負荷調整部材１４は、図８および図９に示すように、調整操作部２３の操作ツマミ２３ｂを回して可動部２２を上下方向に移動させると、ばね部材１３の両端部１３ａ、１３ｂに当接する可動部２２の位置が変化することにより、回転操作部材１１の回転操作時にばね部材１３によって回転操作部材１１に付与される負荷を調整するように構成されている。
【００４４】
すなわち、この負荷調整部材１４は、図１３〜図１５に示すように、調整操作部２３の操作ツマミ２３ｂを時計回り（右回り）に回すと、調整操作部２３のねじ部２３ａによって可動部２２が上方に移動してばね部材１３の両端部１３ａ、１３ｂにおける上部側に当接することにより、可動部２２が位置する箇所からばね部材１３の中心部までにおけるばね部材１３の両端部１３ａ、１３ｂの長さを短くして、回転操作部材１１の回転操作時に付与されるばね部材１３の負荷を大きくするように構成されている。
【００４５】
また、この負荷調整部材１４は、図１６〜図１８に示すように、調整操作部２３の操作ツマミ２３ｂを反時計回り（左回り）に回すと、調整操作部２３のねじ部２３ａによって可動部２２が下方に移動してばね部材１３の両端部１３ａ、１３ｂにおける下部側に当接することにより、可動部２２が位置する箇所からばね部材１３の中心部までにおけるばね部材１３の両端部１３ａ、１３ｂの長さを長くして、回転操作部材１１の回転操作時に付与されるばね部材１３の負荷を小さくするように構成されている。
【００４６】
なお、ロータリースイッチ１２は、図２および図３に示すように、接続ケーブル２４によって楽器本体１内に設けられた回路基板（図示せず）と電気的に接続されている。この場合、接続ケーブル２４は、その一端部がスイッチ本体１５に接続された状態で取付部材１７に固定具２４ａによって固定され、この状態で他端部側が楽器ケース１内を引き回されて回路基板に接続されるように構成されている。
【００４７】
次に、このような回転式のスイッチ装置１０を楽器本体１に組み付ける場合について説明する。この場合には、まず、回転操作部材１１に負荷調整部材１４を組み付ける。このときには、負荷調整部材１４の可動部２２の一端部を回転操作部材１１の操作本体部１８に設けられた操作取付部２１のガイド孔部２１ａに挿入させて、可動部２２のガイド溝２２ｂを操作取付部２１のガイド孔部２１ａの縁部に上下方向に移動可能に係合させる。
【００４８】
この状態で、負荷調整部材１４の調整操作部２３を回転操作部材１１の操作本体部１８に取り付ける。このときには、操作本体部１８の上方から調整操作部２３を操作本体部１８の外周部に設けられた操作面部２０の挿入孔２０ｂに挿入させ、この挿入した調整操作部２３を操作本体部１８の回転中心に設けられた円筒部１９における大径筒部１９ａの取付孔１９ｅに挿入させ、この挿入した調整操作部２３の下部側に設けられたねじ部２３ａを可動部２２のねじ孔２２ａに螺入させる。
【００４９】
そして、調整操作部２３の操作ツマミ２３ｂを回して調整操作部２３のねじ部２３ａを可動部２２のねじ孔２２ａに螺入させながら、調整操作部２３の下端部を操作取付部２１の下端部に設けられた挿入孔２１ｂに挿入させる。このときには、可動部２２が回転せず、調整操作部２３のみが回転して下側に移動し、この回転調整操作部２３の操作ツマミ２３ｂが操作本体部１８の操作面部２０の外周面に接近または接触する。
【００５０】
この状態で、回転操作部材１１の操作面部２０の下面に位置する箇所の調整操作部２３に、抜止めリング２３ｃを取り付ける。これにより、調整操作部２３が回転操作部材１１に回転自在に取り付けられる。この状態では、調整操作部２３は、操作ツマミ２３ｂを回しても、調整操作部２３が上下方向に移動することなく、その場所で回転する。
【００５１】
この後、回転操作部材１１にばね部材１３を取り付ける。このときには、回転操作部材１１の回転中心に設けられた円筒部１９の小径筒部１９ｂの外周にばね部材１３の捻り部分を挿入させると共に、このばね部材１３の両端部１３ａ、１３ｂを負荷調整部材１４の可動部２２の両側に配置させる。この状態で、回転操作部材１１をロータリースイッチ１２に取り付ける。
【００５２】
このときには、予め、ロータリースイッチ１２のスイッチ軸１６を取付部材１７の軸挿入孔１７ｃに挿入させ、この状態でロータリースイッチ１２のスイッチ本体１５を取付部材１７に取り付ける。また、このときには、接続ケーブル２４の一端部をスイッチ本体１５に接続して取付部材１７に固定具２４ａによって固定する。
【００５３】
そして、スイッチ本体１５に回転可能に取り付けられたスイッチ軸１６を回転操作部材１１の回転中心に設けられた円筒部１９の小径筒部１９ｂ内に挿入させる。このときには、円筒部１９の小径筒部１９ｂ内に設けられたキー部１９ｃにスイッチ軸１６の切欠き部１６ａを対応させた状態で、小径筒部１９ｂ内にスイッチ軸１６を挿入する。
【００５４】
これにより、回転操作部材１１は、その回転に伴ってロータリースイッチ１２のスイッチ軸１６が回転するようにスイッチ軸１６に取り付けられる。また、小径筒部１９ｂ内にスイッチ軸１６を挿入する際には、取付部材１７の延出部１７ｂに設けられた固定部１７ｄをばね部材１３の両端部１３ａ、１３ｂ間に挿入して配置する。
【００５５】
この後、取付部材１７を楽器本体１の上部ケース２内に取り付ける。このときには、回転操作部材１１の上部側を上部ケース２に設けられた開口部２ａ内に上部ケース２の内部から挿入させて上部ケース２の上面側に突出させる。この状態で、取付部材１７を上部ケース２内に取り付ける。そして、ロータリースイッチ１２に一端部が接続されて固定された接続ケーブル２４の他端部を楽器本体１内に設けられた回路基板（図示せず）と電気的に接続する。これにより、回転式のスイッチ装置１０が楽器本体１内に組み付けられる。
【００５６】
次に、このような電子鍵盤楽器で演奏をする場合について説明する。
この電子鍵盤楽器で演奏する際には、楽器本体１の上部ケース２から上方に露出した鍵盤部４における複数の鍵５を押鍵操作する。すると、スピーカ部６から演奏に応じた楽音が放音される。このような演奏中に回転式のスイッチ装置１０における回転操作部材１１を回転操作すると、その回転操作部材１１の回転操作に応じて、放音される楽音に変化を与えて効果を付与することができる。
【００５７】
この場合、この回転式のスイッチ装置１０では、負荷調整部材１４を操作して回転操作部材１１の回転動作を重くしたり軽くしたりすることができ、これにより演奏者の好みに合った操作感触で回転操作部材１１を回転操作することができる。このため、演奏者が所望する感触で回転操作部材１１を回転操作することができるので、スイッチ操作性を向上させることができる。
【００５８】
例えば、回転式のスイッチ装置１０における回転操作部材１１の回転動作を重くする場合には、図１３に示すように、負荷調整部材１４の調整操作部２３の操作ツマミ２３ｂを時計回り（右回り）に回す。すると、調整操作部２３のねじ部２３ａが回転し、このねじ部２３ａの回転に伴って可動部２２が上方に移動してばね部材１３の両端部１３ａ、１３ｂにおける上部側に当接する。
【００５９】
すなわち、可動部２２が上方に移動すると、図１３に示すように、この可動部２２が回転操作部材１１の回転中心である円筒部１９に接近する方向に位置し、この接近した位置で可動部２２がばね部材１３の両端部１３ａ、１３ｂに当接する。このため、可動部２２が位置する箇所からばね部材１３の中心部までにおけるばね部材１３の両端部１３ａ、１３ｂの長さが短くなるので、可動部２２がばね部材１３をねじる際に、可動部２２に付与される力が大きくなる。これにより、ばね部材１３のばね力によって回転操作部材１１に付与される負荷が大きくなる。
【００６０】
この状態で、図１４に示すように、回転操作部材１１の操作面部２０から突出した操作ツマミ２３ｂを指先で正方向（時計回り方向）に操作して回転操作部材１１を回転させると、これに伴って負荷調整部材１４の可動部２２がばね部材１３のばね力に抗して同じ方向に回転移動する。
【００６１】
このときには、図１４に示すように、ばね部材１３の一方の端部１３ｂが取付部材１７の固定部１７ｄに当接して保持され、この状態でばね部材１３の他方の端部１３ａが負荷調整部材１４の可動部２２によって押し広げられる。このため、回転操作部材１１を回転操作させる際に、指先にばね部材１３のばね力が負荷として付与される。
【００６２】
すなわち、図１４に示すように、可動部２２が回転操作部材１１の円筒部１９に接近した状態で、その円筒部１９を中心に回転移動する際には、可動部２２が位置する箇所からばね部材１３の中心部までにおけるばね部材１３の両端部１３ａ、１３ｂの長さが短いので、回転操作部材１１を回転させる際に、指先に付与されるばね部材１３の負荷が大きくなる。このため、指先に重い感触が与えられるので、ゆったりとした回転操作ができる。
【００６３】
この後、回転操作部材１１の操作面部２０から突出した操作ツマミ２３ｂから指先を離すと、回転操作部材１１の可動部２２がばね部材１３の他方の端部１３ａによって反時計回り方向に押し戻されるので、図１３に示すように、回転操作部材１１がばね部材１３のばね力によって中立状態（ニュートラル位置）に戻る。
【００６４】
また、この回転操作部材１１を、図１５に示すように、逆方向（反時計回り方向）に回転させる際には、ばね部材１３の一方の端部１３ａが取付部材１７の固定部１７ｄに当接して保持され、この状態でばね部材１３の他方の端部１３ｂが負荷調整部材１４の可動部２２によって押し広げられる。このため、回転操作部材１１を回転操作させる際に、指先にばね部材１３のばね力が負荷として付与される。
【００６５】
このときにも、可動部２２が回転操作部材１１の円筒部１９に接近した状態で、その円筒部１９を中心に回転移動することにより、回転操作部材１１を回転させる際に、指先に付与される負荷が大きくなり、指先に重い感触が与えられるので、ゆったりとした回転操作ができる。なお、このときにも、回転操作部材１１の操作面部２０から突出した操作ツマミ２３ｂから指先を離すと、回転操作部材１１がばね部材１３のばね力によって中立状態（ニュートラル位置）に戻る。
【００６６】
次に、回転操作部材１１の回転動作を軽くする場合について説明する。この場合には、図１６に示すように、負荷調整部材１４の調整操作部２３の操作ツマミ２３ｂを反時計回り（左回り）に回す。すると、調整操作部２３のねじ部２３ａが回転し、このねじ部２３ａの回転に伴って可動部２２が下方に移動してばね部材１３の両端部１３ａ、１３ｂにおける下部側に当接する。
【００６７】
すなわち、可動部２２が下方に移動すると、図１６に示すように、この可動部２２が回転操作部材１１の回転中心である円筒部１９から離れる方向に位置し、この離れた位置で可動部２２がばね部材１３の両端部１３ａ、１３ｂに当接する。このため、可動部２２が位置する箇所からばね部材１３の中心部までにおけるばね部材１３の両端部１３ａ、１３ｂの長さが長くなるので、可動部２２がばね部材１３をねじる際に、可動部２２に付与される力が小さくなる。これにより、ばね部材１３のばね力によって回転操作部材１１の回転操作時に付与される負荷が小さくなる。
【００６８】
この状態で、図１７に示すように、回転操作部材１１の操作面部２０から突出した操作ツマミ２３ｂを指先で正方向（時計回り方向）に操作して回転操作部材１１を回転させると、これに伴って負荷調整部材１４の可動部２２がばね部材１３のばね力に抗して同じ方向に回転移動する。
【００６９】
このときには、図１７に示すように、ばね部材１３の一方の端部１３ｂが取付部材１７の固定部１７ｄに当接して保持され、この状態でばね部材１３の他方の端部１３ａが負荷調整部材１４の可動部２２によって押し広げられる。このため、回転操作部材１１を回転操作させる際に、指先にばね部材１３のばね力が負荷として付与される。
【００７０】
すなわち、可動部２２が回転操作部材１１の円筒部１９から離れた状態で、その円筒部１９を中心に回転移動する際には、可動部２２が位置する箇所からばね部材１３の中心部までにおけるばね部材１３の両端部１３ａ、１３ｂの長さが長くなるので、回転操作部材１１を回転させる際に、指先に付与されるばね部材１３の負荷が小さくなる。このため、指先に軽い感触が与えられると共に、素早い回転操作ができる。
【００７１】
この後、回転操作部材１１の操作面部２０から突出した操作ツマミ２３ｂから指先を離すと、回転操作部材１１の可動部２２がばね部材１３の他方の端部１３ａによって反時計回り方向に押し戻されるので、図１６に示すように、回転操作部材１１がばね部材１３のばね力によって中立状態（ニュートラル位置）に戻る。
【００７２】
また、この回転操作部材１１を、図１８に示すように、逆方向（反時計回り方向）に回転させる際には、ばね部材１３の一方の端部１３ａが取付部材１７の固定部１７ｄに当接して保持され、この状態でばね部材１３の他方の端部１３ｂが負荷調整部材１４の可動部２２によって押し広げられる。このため、回転操作部材１１を回転操作させる際に、指先にばね部材１３のばね力が負荷として付与される。
【００７３】
このときにも、上述した場合と同様、可動部２２が回転操作部材１１の円筒部１９から離れた状態で、その円筒部１９を中心に回転移動するため、回転操作部材１１を回転させる際に、指先に付与される負荷が小さくなり、指先に軽い感触が与えられるので、このときにも素早い回転操作ができる。なお、このときにも、回転操作部材１１の操作面部２０から突出した操作ツマミ２３ｂから指先を離すと、回転操作部材１１がばね部材１３のばね力によって中立状態（ニュートラル位置）に戻る。
【００７４】
このように、この回転式のスイッチ装置１０によれば、楽器本体１の上部ケース２に対して取り付けられたロータリースイッチ１２と、このロータリースイッチ１２を回転操作に応じてスイッチ動作させる回転操作部材１１と、この回転操作部材１１が回転する際に回転操作部材１１に負荷を付与するばね部材１３と、このばね部材１３のばね力によって回転操作部材１１に付与される負荷を調整する負荷調整部材１４と、を備えていることにより、演奏者の好みに合った操作感触が得られ、演奏者が所望するような感触の回転操作を行うことができるので、スイッチ操作性の向上を図ることができる。
【００７５】
すなわち、このスイッチ装置１０では、ばね部材１３のばね力によって回転操作部材１１に付与される負荷を負荷調整部材１４によって調整することができるので、簡単に且つ容易に回転操作部材１１の回転操作力を重くしたり、軽くしたりすることができる。すなわち、回転操作部材１１の回転操作力を重くすることにより、ゆったりとした操作ができ、また回転操作部材１１の回転操作力を軽くすることにより、素早い操作ができる。これにより、演奏者の好みに合った操作感触を得ることができ、演奏者が所望するような感触の回転操作を行うができるので、スイッチ操作性を向上させることができる。
【００７６】
この場合、ばね部材１３は、回転操作部材１１が正方向と逆方向とのいずれかの方向に回転する際に回転操作部材１１に付与される負荷を徐々に大きくし、また回転操作部材１１がいずれの方向にも回転しない中立状態（ニュートラル状態）のときに回転操作部材１１に付与される負荷を最も小さくする構成であることにより、回転操作部材１１を指先で回す際に、回転操作部材１１の回転に伴って指先の感触を徐々に重くすることができると共に、指先を回転操作部材１１から離すと、回転操作部材１１を中立状態（ニュートラル状態）に自動的に戻すことができるので、これによってもスイッチ操作性を向上させることができる。
【００７７】
また、負荷調整部材１４は、回転操作部材１１に移動可能に設けられてばね部材１３のばね力を変化させる可動部２２と、この可動部２２をばね部材１３のばね力が変化する方向に移動させる調整操作部２３とを備えているので、調整操作部２３を操作することにより、可動部２２を容易に移動させることができ、これにより簡単に且つ容易にばね部材１３のばね力を変化させて調整することができるので、ばね部材１３のばね力を良好に且つ最適に調整することができ、演奏者が所望する回転操作時の感触を良好に得ることができる。
【００７８】
この場合、ばね部材１３は、回転操作部材１１の回転中心に位置する円筒部１９の外周に配置された捻じりばねであり、この捻じりばねの両端部１３ａ、１３ｂが楽器本体１の上部ケース２に対して固定された取付部材１７の固定部１７ｄの両側に配置されるように構成されていることにより、固定部１７ｄによってばね部材１３のばね力を回転操作部材１１に対して確実に且つ良好に付与することができると共に、ばね部材１３を回転操作部材１１に簡単に且つ容易に取り付けることができる。
【００７９】
また、負荷調整部材１４の可動部２２は、捻りばねであるばね部材１３の両端部１３ａ、１３ｂ間に位置し、この状態で回転操作部材１１の回転中心に位置する円筒部１９に対する接離方向に移動可能に配置されていることにより、可動部２２を回転操作部材１１の回転中心に位置する円筒部１９に対して接離方向に移動させるだけで、ばね部材１３のばね力を簡単に且つ容易に調整することができ、これにより演奏者が所望する回転操作部材１１の回転操作の感触を最適に且つ良好に調整することができる。
【００８０】
すなわち、可動部２２を回転操作部材１１の回転中心に位置する円筒部１９に接近する方向に移動させると、可動部２２が位置する箇所からばね部材１３の中心部までにおけるばね部材１３の両端部１３ａ、１３ｂの長さが短くなるので、ばね部材１３のばね力が可動部２２に強く付与されることになる。このため、回転操作部材１１の回転操作力を重くすることができ、これにより回転操作部材１１をゆったり操作することができる。
【００８１】
また、可動部２２を回転操作部材１１の回転中心に位置する円筒部１９から離れる方向に移動させると、可動部２２が位置する箇所からばね部材１３の中心部までにおけるばね部材１３の両端部１３ａ、１３ｂの長さが長くなるので、ばね部材１３のばね力が可動部２２に弱く付与されることになる。このため、回転操作部材１１の回転操作力を軽くすることができ、これにより回転操作部材１１を素早く操作することができる。
【００８２】
さらに、この負荷調整部材１４の可動部２２は、回転操作部材１１に設けられた操作取付部２１のガイド孔部２１ａによって非回転状態でガイドされていると共に調整操作部２３に対応する箇所にねじ孔２２ａを有しており、調整操作部２３は、その一端部に設けられたねじ部２３ａが可動部２２のねじ孔２２ａに螺合し、他端部が回転操作部材１１における操作面部２０の外周面側から突出した状態で回転操作部材１１に回転可能に取り付けられていることにより、操作面部２０の外周面側から突出している調整操作部２３の操作ツマミ２３ｂを回転操作するだけ、可動部２２を容易に且つ良好に移動させることができる。
【００８３】
すなわち、この負荷調整部材１４は、調整操作部２３の他端部である操作ツマミ２３ｂを回すと、これに伴って調整操作部２３のねじ部２３ａが回転するので、このねじ部２３ａが可動部２２のねじ孔２２ａ内で回転し、このねじ部２３ａの回転に応じて可動部２２を回転させることなく回転操作部材１１に設けられた操作取付部２１のガイド孔部２１ａに沿って移動させることができる。
【００８４】
これにより、操作面部２０の外周面側から突出している調整操作部２３の操作ツマミ２３ｂを回転操作するだけ、可動部２２を容易に移動させて、ばね部材１３の両端部１３ａ、１３ｂに当接する位置を正確に且つ良好に変化させることができると共に、ばね部材１３のばね力を無段階で微調整することができる。これにより、演奏者が所望する回転操作部材１１の回転操作の感触を最適に且つ良好に調整することができる。
【００８５】
この場合、調整操作部２３の操作ツマミ２３ｂが回転操作部材１１の操作面部２０の外周面側から突出しているので、回転操作部材１１を回転操作する際に、操作ツマミ２３ｂに指先を引っ掛けて回転操作することができ、これにより回転操作部材１１を確実に且つ良好に回転させることができる。また、この負荷調整部材１４は、電子鍵盤楽器を演奏する前、または演奏中に、操作ツマミ２３ｂを操作してばね部材１３のばね力を容易に且つ良好に調整することができる。このため、調整作業が簡単で容易にできるので、電子鍵盤楽器の演奏性をも向上させることができる。
【００８６】
なお、上述した実施形態では、電子鍵盤楽器に適用した場合について述べたが、必ずしも電子鍵盤楽器である必要はなく、例えば電気ギターなどの電子弦楽器や、サックスホーンなどの電子管楽器など、各種の電子楽器にも適用することができるほか、必ずしも電子楽器に適用する必要はなく、シンセサイザーなどの音響機器や各種の電子機器などにも広く適用することができる。
【００８７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８８】
（付記）
請求項１に記載の発明は、装置本体に対して取り付けられた回転式のスイッチ部と、このスイッチ部を回転操作に応じてスイッチ動作させる回転操作部材と、この回転操作部材が回転する際に前記回転操作部材に負荷を付与する付勢部材と、この付勢部材によって前記回転操作部材に付与される前記負荷を調整する負荷調整部材と、を備えていることを特徴とするスイッチ装置である。
【００８９】
請求項２に記載の発明は、請求項１に記載のスイッチ装置において、前記付勢部材は、前記回転操作部材が正方向と逆方向とのいずれかの方向に回転する際に前記回転操作部材に付与される前記負荷を徐々に大きくし、前記回転操作部材がいずれの方向にも回転しない中立状態のときに前記回転操作部材に付与される前記負荷を最も小さくする構成であることを特徴するスイッチ装置である。
【００９０】
請求項３に記載の発明は、請求項１または請求項２に記載のスイッチ装置において、前記負荷調整部材は、前記回転操作部材に移動可能に設けられて前記付勢部材の付勢力を変化させる可動部と、この可動部を前記付勢部材の付勢力が変化する方向に移動させる調整操作部とを備えていることを特徴するスイッチ装置である。
【００９１】
請求項４に記載の発明は、請求項１〜請求項３のいずれかに記載のスイッチ装置において、前記付勢部材は、前記回転操作部材の回転中心に配置された捻じりばねであり、この捻じりばねの両端部が前記装置本体に対して固定された固定部の両側に配置されており、
前記負荷調整部材の前記可動部は、前記付勢部材である前記捻じりばねにおける前記両端部の間に位置し、この状態で前記回転操作部材の回転中心に対する接離方向に移動可能に配置されていることを特徴とするスイッチ装置である。
【００９２】
請求項５に記載の発明は、請求項４に記載のスイッチ装置において、前記負荷調整部材の前記可動部は、前記回転操作部材に設けられたガイド部によって非回転状態でガイドされていると共に前記調整操作部に対応する箇所にねじ孔を有しており、前記調整操作部は、その一端部に設けられたねじ部が前記可動部の前記ねじ孔に螺合し、他端部が前記回転操作部材の外周面側から突出した状態で前記回転操作部材に回転可能に取り付けられていることを特徴とするスイッチ装置である。
【符号の説明】
【００９３】
１  楽器本体
２  上部ケース
２ａ  開口部
１０  スイッチ装置
１１  回転操作部材
１２  ロータリースイッチ
１３  ばね部材
１３ａ、１３ｂ  ばね部材の両端部
１４  負荷調整部材
１５  スイッチ本体
１６  スイッチ軸
１７  取付部材
１７ｄ  固定部
１８  操作本体部
１９  円筒部
２０  操作面部
２１  操作取付部
２１ａ  ガイド孔部
２２  可動部
２２ａ  ねじ孔
２２ｂ  ガイド溝
２３  調整操作部
２３ａ  ねじ部
２３ｂ  操作ツマミ
【図１】
2013012430.tif 000003
【図２】
2013012430.tif 000004
【図３】
2013012430.tif 000005
【図４】
2013012430.tif 000006
【図５】
2013012430.tif 000007
【図６】
2013012430.tif 000008
【図７】
2013012430.tif 000009
【図８】
2013012430.tif 000010
【図９】
2013012430.tif 000011
【図１０】
2013012430.tif 000012
【図１１】
2013012430.tif 000013
【図１２】
2013012430.tif 000014
【図１３】
2013012430.tif 000015
【図１４】
2013012430.tif 000016
【図１５】
2013012430.tif 000017
【図１６】
2013012430.tif 000018
【図１７】
2013012430.tif 000019
【図１８】
2013012430.tif 000020